(57)【要約】【課題】電車の行き先違いを判定することにより誤乗車を防止することができる。【解決手段】所定の区間内において複数の駅を経由して運行すると共に、運行日によって停車駅が変更するように運行が管理される電車の停車駅を判定する携帯電話機１であって、乗車駅と降車駅を設定する設定部１７と、乗車しようとする電車の固有情報を所定の場所に設置されているリーダライタ装置２から取得する通信部１３と、通信部１３により取得された固有情報に基づいて、インターネットサーバ３に記憶される電車の運行情報を、リーダライタ装置２から取得する通信部１３と、乗車駅及び降車駅と運行情報とに基づいて、固有情報に対応する乗降案内情報を表示するディスプレイ１５とを備える。【選択図】図２
2012142776.tif 000002
【特許請求の範囲】
【請求項１】
所定の区間内において複数の場所を経由して運行すると共に、運行日によって停車場所が変更するように運行が管理される車両の停車場所を判定する携帯端末であって、
出発場所と到着場所を設定する設定部と、
乗車しようとする車両の固有の識別情報を所定の場所又は車両に設置されている外部機器から取得する識別情報取得部と、
前記識別情報取得部により取得された固有の識別情報に基づいて、外部機器から車両の運行情報を取得する運行情報取得部と、
前記出発場所、前記到着場所及び前記運行情報に基づいて、前記固有の識別情報に対応する乗降案内情報を提示する乗降案内情報提示部とを備え、
前記乗降案内情報提示部は、前記到着場所の方向には向かい、かつ、前記到着場所に停車する場合と、前記到着場所の方向には向かい、かつ、停車しない場合と、前記到着場所の方向には向かわない場合との前記乗降案内情報を提示することを特徴とする携帯端末。
【請求項２】
誤乗車の判定を行う誤乗車判定部と、車両の経路を選択する経路選択部と、を備え、
前記経路選択部は、前記設定部により設定された前記出発場所と前記到着場所に基づいて、車両の経路を選択し、
前記誤乗車判定部は、前記乗降案内情報の提示にあたり、前記経路選択部により選択された前記経路と前記運行情報取得部により取得された前記運行情報とに基づいて、前記固有の識別情報に対応する車両が誤乗車となる車両であるか否かを判定することを特徴とする請求項１記載の携帯端末。
【請求項３】
前記識別情報取得部は、車両に設置される外部機器からの受信により、当該外部機器が設置される車両の固有の識別情報を取得することを特徴とする請求項１又は２記載の携帯端末。
【請求項４】
前記識別情報取得部は、前記所定の場所に設置される外部機器からの受信により、当該外部機器が設置される場所に停車する車両のうち当該外部機器との受信時以降に停車する車両の固有の識別情報を取得することを特徴とする請求項１又は２記載の携帯端末。
【請求項５】
所定の区間内の入退場ゲートでの入退場を入退場処理により許可する入退場情報が格納される入退場情報格納部を備え、
前記設定部は、前記入退場情報格納部に格納される前記入退場情報に基づいて、前記出発場所と前記到着場所を設定することを特徴とする請求項１から４記載の携帯端末。
【請求項６】
前記識別情報取得部は、前記入退場ゲートでの入場処理により、外部機器からの受信が可能となることを特徴とする請求項５記載の携帯端末。
【請求項７】
前記乗降案内情報提示部は、前記乗降案内情報の提示を、前記固有の識別情報を取得した外部機器の設置場所が前記所定の場所である場合には、第１の表示にて行い、前記固有の識別情報を取得した外部機器の設置場所が前記車両である場合には、前記乗降案内情報を前記第１の表示とは異なる第２の表示にて行うことを特徴とする請求項１から６記載の携帯端末。
【請求項８】
所定の区間内において複数の場所を経由して運行すると共に、運行日によって停車場所が変更するように運行が管理される車両の停車場所を判定する誤乗車判定システムであって、
所定の場所又は車両に設置され、乗車しようとする車両の固有の識別情報と、車両の運行情報を記憶する外部機器と、
外部機器と通信可能な携帯端末と、を備え、
前記携帯端末は、
出発場所と到着場所を設定する設定部と、
前記固有の識別情報を、前記所定の場所又は車両に設置される外部機器から取得する識別情報取得部と、
前記識別情報取得部により取得された前記固有の識別情報に基づいて、外部機器から前記運行情報を取得する運行情報取得部と、
前記出発場所、前記到着場所及び前記運行情報に基づいて、前記固有の識別情報に対応する乗降案内情報を提示する乗降案内情報提示部とを備え、
前記乗降案内情報提示部は、前記到着場所の方向には向かい、かつ、前記到着場所に停車する場合と、前記到着場所の方向には向かい、かつ、停車しない場合と、前記到着場所の方向には向かわない場合との乗降案内情報を提示することを特徴とする誤乗車判定システム。
【発明の詳細な説明】
【技術分野】
【０００１】
本発明は、電車の行き先違いによる誤乗車を防止する携帯端末及び誤乗車判定システムに関する。
【背景技術】
【０００２】
従来より、鉄道等を運営する交通機関は、種々の運行条件によって決定された運行予定に基づいて電車の運行を行う。電車の運行は、運行条件として、例えば、利用者の利用状況を考慮して、利用者の数が多い平日の通勤時間帯には、電車の本数を多くするようにし、利用者の数が少ない祝祭日（休日）には、電車の本数を少なくするように決定される。また、電車の運行は、運行条件として、例えば、路線や駅によっては、各駅に停車する、いわゆる、各駅停車による運行や各駅には停まらずに主要な駅のみに停車する、いわゆる、快速列車による運行を行う。
【０００３】
一方の利用者は、電車の運行に合わせて、日々の電車の利用を行う。利用者は、通勤等で毎日同じ時間に電車を利用しており、通勤日等とは異なる休日に電車を利用した場合には、平日の時と同じ感覚で電車を利用するために、行き先が違う等の到着駅に停車しない電車に誤って乗ってしまうことがある。結果として、利用者は、到着駅に辿り着けなかったり、到着時間が大幅に遅れてしまうことがあった。また、曜日による運行条件の違いに限らず、不慣れな土地での利用においても、案内等がわからないために、同様の問題が起こりうることがあった。
【０００４】
特許文献１には、行き先を入力することにより、到着駅へ向かう電車を通知する携帯端末に関する技術が記載されている。この特許文献１に記載される携帯端末は、ＧＰＳにより取得した携帯端末の位置情報に基づいて、最寄り駅から入力した行き先に停車する電車を抽出して、通知するものである。
【先行技術文献】
【特許文献】
【０００５】
【特許文献１】特開２００５−２１０６６３号公報
【発明の概要】
【発明が解決しようとする課題】
【０００６】
しかし、上述した特許文献１に記載される携帯端末は、最寄り駅に停車する電車を通知するために、利用者が乗る電車が目の前にある場合に、この電車が通知された電車なのか否かの判断に迷うという問題が生じる。また、ユーザが電車に乗って移動している状態においては、取得した位置情報に基づいて、最寄り駅からの電車が行き先の駅に停車するか否かの判定を行うために、ユーザが乗っている電車が行き先の駅に向かうか否かの判断は行わないという問題が生じる。
【０００７】
したがって、本発明においては、行き先を判定した電車を特定することができると共に、行き先違いによる誤乗車を防止することができる携帯端末及び誤乗車判定システムを提供することを目的とする。
【課題を解決するための手段】
【０００８】
そこで、本発明は、上述したような問題に鑑みてなされたものであって、所定の区間内において複数の場所を経由して運行すると共に、運行日によって停車場所が変更するように運行が管理される車両の停車場所を判定する携帯端末であって、出発場所と到着場所を設定する設定部と、乗車しようとする車両の固有の識別情報を所定の場所又は車両に設置されている外部機器から取得する識別情報取得部と、前記識別情報取得部により取得された固有の識別情報に基づいて、外部機器から車両の運行情報を取得する運行情報取得部と、前記出発場所、前記到着場所及び前記運行情報に基づいて、前記固有の識別情報に対応する乗降案内情報を提示する乗降案内情報提示部とを備え、前記乗降案内情報提示部は、前記到着場所の方向には向かい、かつ、前記到着場所に停車する場合と、前記到着場所の方向には向かい、かつ、停車しない場合と、前記到着場所の方向には向かわない場合との前記乗降案内情報を提示することを特徴とする。
【０００９】
また、前記携帯端末は、誤乗車の判定を行う誤乗車判定部と、車両の経路を選択する経路選択部と、を備え、前記経路選択部は、前記設定部により設定された前記出発場所と前記到着場所に基づいて、車両の経路を選択し、前記誤乗車判定部は、前記乗降案内情報の提示にあたり、前記経路選択部により選択された前記経路と前記運行情報取得部により取得された前記運行情報とに基づいて、前記固有の識別情報に対応する車両が誤乗車となる車両であるか否かを判定することを特徴とすることが好ましい。
【００１０】
また、前記識別情報取得部は、車両に設置される外部機器からの受信により、当該外部機器が設置される車両の固有の識別情報を取得することが好ましい。
【００１１】
また、前記識別情報取得部は、前記所定の場所に設置される外部機器からの受信により、当該外部機器が設置される場所に停車する車両のうち当該外部機器との受信時以降に停車する車両の固有の識別情報を取得することを特徴とすることが好ましい。
【００１２】
また、上記携帯端末は、所定の区間内の入退場ゲートでの入退場を入退場処理により許可する入退場情報が格納される入退場情報格納部を備え、前記設定部は、前記入退場情報格納部に格納される前記入退場情報に基づいて、前記出発場所と前記到着場所を設定することが好ましい。
【００１３】
また、前記識別情報取得部は、前記入退場ゲートでの入場処理により、外部機器からの受信が可能となることを特徴とすることが好ましい。
【００１４】
また、前記乗降案内情報提示部は、前記乗降案内情報の提示を、前記固有の識別情報を取得した外部機器の設置場所が前記所定の場所である場合には、第１の表示にて行い、前記固有の識別情報を取得した外部機器の設置場所が前記車両である場合には、前記乗降案内情報を前記第１の表示とは異なる第２の表示にて行うことを特徴とすることが好ましい。
【００１５】
また、別の発明では、所定の区間内において複数の場所を経由して運行すると共に、運行日によって停車場所が変更するように運行が管理される車両の停車場所を判定する誤乗車判定システムであって、所定の場所又は車両に設置され、乗車しようとする車両の固有の識別情報と、車両の運行情報を記憶する外部機器と、外部機器と通信可能な携帯端末と、を備え、前記携帯端末は、出発場所と到着場所を設定する設定部と、前記固有の識別情報を、前記所定の場所又は車両に設置される外部機器から取得する識別情報取得部と、前記識別情報取得部により取得された前記固有の識別情報に基づいて、外部機器から前記運行情報を取得する運行情報取得部と、前記出発場所、前記到着場所及び前記運行情報に基づいて、前記固有の識別情報に対応する乗降案内情報を提示する乗降案内情報提示部とを備え、前記乗降案内情報提示部は、前記到着場所の方向には向かい、かつ、前記到着場所に停車する場合と、前記到着場所の方向には向かい、かつ、停車しない場合と、前記到着場所の方向には向かわない場合との乗降案内情報を提示することを特徴とする。
【発明の効果】
【００１６】
本発明によれば、行き先を判定した電車を特定することができると共に、行き先違いによる誤乗車を防止することができる携帯端末及び誤乗車判定システムを提供する。
【図面の簡単な説明】
【００１７】
【図１】本発明に係る誤乗車判定システムの概要を示す図である。
【図２】携帯電話機とリーダライタ装置とインターネットサーバの機能を示す機能ブロック図である。
【図３】インターネットサーバに記憶されるデータを示す概念図である。
【図４】行き先設定の切り替えを示す概念図である。
【図５】ディスプレイの表示の一例を示す模式図である。
【図６】ディスプレイの表示の一例を示す模式図である。
【図７】誤乗車判定システムの動作を示すフローチャートである。
【発明を実施するための形態】
【００１８】
以下、誤乗車判定システムの一実施形態について、図１から図７を参照しながら説明する。
本実施形態における誤乗車判定システムは、図１に示すように、駅（場所）のホームＨ等に設置されたリーダライタ装置２（第１の機器）やインターネットサーバ３（第２の機器）から取得した誤乗車の判定に係る情報に基づいて、ユーザが乗ろうとしている電車Ｔ（車両）がユーザの希望する降車駅に向かうか否かを判定し、その判定結果を携帯電話機１に表示するシステムである。ユーザは、携帯電話機１に表示された判定結果を確認することにより、誤乗車か否かを確認することができる。
【００１９】
ここで、本実施形態において誤乗車の判定の対象となる電車Ｔについて説明する。電車Ｔは、本実施形態においては、電車Ｔの運行を行う交通機関により、所定の区間内（例えば、東京駅から三鷹駅）において複数の駅（例えば、中野駅や高円寺駅等）を経由して運行するように管理される。
また、電車Ｔは、交通機関により、運行日時（例えば、平日と休日や時間帯等）の変更によって停車駅が変更するように運行が管理される。電車Ｔは、例えば、平日であるならば、東京駅から三鷹駅の間を、中野駅と高円寺駅を経由して運行するが、休日であるならば、中野駅のみ経由したり等の変更がされる。
【００２０】
また、電車Ｔは、交通機関により、例えば、後に詳述する図３に示すように、電車Ｔの種類（快速列車と各駅停車）によって、停車駅が異なるように運行が管理される。
【００２１】
また、駅のホームＨの利用は、利用者が自動改札機１００（入退場ゲート）に対して、入場処理を行うことにより、入場が許容される。利用者は、入場が許容される状態において、自動改札機１００を通過することにより、駅のホームＨに入場することができる。一方、自動改札機１００に対して、退場処理を行うことにより、退場が許容される。利用者は、退場が許容される状態において、自動改札機１００を通過することにより、駅のホームＨから退場することができる。
【００２２】
次に、本実施形態における誤乗車判定システムについて説明する。
本実施形態における誤乗車判定システムは、図２に示すように、携帯電話機１と、ホームＨ等に設置されたリーダライタ装置２と、インターネットサーバ３と、を備える。
【００２３】
携帯電話機１は、記憶部１１と、非接触ＩＣチップ１２と、通信部１３と、操作部１４と、ディスプレイ１５と、制御部１６とを備える。
記憶部１１は、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等により構成され、アプリケーションや、各種の情報が記憶される。
【００２４】
非接触ＩＣチップ１２は、ＩＣチップ記憶部１２０と、ＩＣチップ通信部１２１と、ＩＣチップ制御部１２２とを有する。非接触ＩＣチップ１２は、ＲＦＩＤ（Ｒａｄｉｏ  Ｆｒｅｑｕｅｎｃｙ  ＩＤｅｎｔｉｆｉｃａｔｉｏｎ）の一種であり、外部機器との非接触通信を可能により構成される。本実施形態においては、リーダライタ装置２との通信を行う。
【００２５】
ＩＣチップ記憶部１２０は、各種の情報が記憶される。本実施形態においては、電車Ｔの乗降に関する情報が記憶される。
ＩＣチップ通信部１２１は、例えば、携帯電話機１をリーダライタ装置２にかざすことにより、携帯電話機１とリーダライタ装置２との非接触通信が可能に構成される。なお、ＩＣチップ通信部１２１とリーダライタ装置２とは、携帯電話機１をリーダライタ装置２にかざすことをきっかけとして、無線通信を行うように構成してもよい。
ＩＣチップ制御部１２２は、上述したＩＣチップ記憶部１２０を管理し制御するように構成される。
【００２６】
通信部１３は、アンテナ（図示せず）を介して、インターネットサーバ３と通信可能に構成される。
操作部１４は、ユーザが操作することにより、命令を入力可能に構成される。
ディスプレイ１５（乗降案内情報提示部）は、入力結果等の所定の情報を表示可能に構成される。
制御部１６は、上述した記憶部１１等を管理し制御するＣＰＵ（Ｃｅｎｔｒａｌ  Ｐｒｏｃｅｓｓｉｎｇ  Ｕｎｉｔ、中央演算処理装置）として構成される。
【００２７】
リーダライタ装置２は、リーダライタ記憶部２０と、リーダライタ通信部２１と、リーダライタ制御部２２を備える。
【００２８】
リーダライタ記憶部２０は、ＲＡＭ、ＲＯＭ等により構成され、各種の情報（例えば、後述する固有情報や後述する運行情報）が記憶される。
リーダライタ記憶部２０に記憶される各種の情報は、インターネットサーバ３等からの情報を受信して随時更新される。
【００２９】
リーダライタ通信部２１は、アンテナ（図示せず）を介して、携帯電話機１及びインターネットサーバ３と通信可能に構成される。
リーダライタ通信部２１は、本実施形態においては、所定の距離内でリーダライタ装置２に携帯電話機１がかざされることにより、ＩＣチップ通信部１２１を介して、携帯電話機１との通信を行うように構成される。
また、リーダライタ通信部２１は、本実施形態においては、インターネットを経由して、インターネットサーバ３との通信を行うように構成される。
リーダライタ制御部２２は、上述したリーダライタ記憶部２０等を管理し制御するＣＰＵとして構成される。
【００３０】
また、本実施形態においては、図１に示すように、設置場所により３台のリーダライタ装置２（第１のリーダライタ装置２Ａ、第２のリーダライタ装置２Ｂ及び第３のリーダライタ装置２Ｃ）により構成される。
第１のリーダライタ装置２Ａは、駅のホームＨの柱Ｐ（詳細には、柱Ｐの中央付近）に設置される。第１のリーダライタ装置２Ａは、例えば、携帯電話機１がかざされることにより、携帯電話機１と通信を行うことができる。
【００３１】
また、第１のリーダライタ装置２Ａは、ホームＨを中心にして両側から電車Ｔが停止するように構成される場合には、電車Ｔが停止する側に対応する位置にそれぞれ設置される。また、ホームＨを中心にして両側から電車Ｔが停止するように構成される状況において、図１に示すように、第１のリーダライタ装置２Ａを柱Ｐの中央付近に設置する場合には、第１のリーダライタ装置２Ａや柱Ｐには、各第１のリーダライタ装置２ＡがホームＨのどの側に停車する対応する電車Ｔに対応するか否かの表示を付す。このことにより、ユーザは、設置された第１のリーダライタ装置２Ａがどちら側で停車する電車か否かを迷うことなく第１のリーダライタ装置２Ａを利用することができる。
【００３２】
第２のリーダライタ装置２Ｂは、電車Ｔの外側の乗降口ＴＥの周囲に設置される。第２のリーダライタ装置２Ｂは、例えば、携帯電話機１がかざされることにより、電車Ｔの外部から携帯電話機１と通信を行うことができる。
【００３３】
第３のリーダライタ装置２Ｃは、電車Ｔの内部に設置される。第３のリーダライタ装置２Ｃは、例えば、携帯電話機１をかざすことにより、携帯電話機１と通信を行うことができる。
【００３４】
第３のリーダライタ装置２Ｃの設置場所は、ユーザの利用状況や利便性を考慮して決定される。例えば、第３のリーダライタ装置２Ｃは、携帯電話機１の利用後に乗降がしやすいように、乗降口ＴＥの周囲に設置することができる。また、第３のリーダライタ装置２Ｃは、図示しない座席の背後に設置される窓ＴＷや乗降口ＴＥに設置される窓ＴＷに設置することができる。第３のリーダライタ装置２Ｃは、このような場所に設置された場合には、電車内部と電車外部から携帯電話機１との通信を行うことができ、第２のリーダライタ装置２Ｂとして兼用できる。また、つり革や座席に対応する位置（乗車位置）に設置することができる。このような場所に設置することにより、乗降口ＴＥの周囲に設置した場合に比して、他の乗客の邪魔になることや複数のユーザが利用したい場合の混雑を招くこと等がなく、ユーザも移動することなく自分の乗車位置を維持しながら携帯電話機１の利用を行うことができる。
【００３５】
インターネットサーバ３は、サーバ記憶部３０と、サーバ通信部３１と、サーバ制御部３２とを備える。
サーバ記憶部３０は、ＲＡＭ、ＲＯＭ等により構成され、各種の情報（例えば、後述する運行情報や遅延情報等）がデータベース（ＤＢ）として構築されて記憶される。なお、サーバ記憶部３０に記憶される各種の情報は、他のインターネットサーバ等から情報を取得して随時更新される。
サーバ通信部３１は、インターネット通信網を介して、携帯電話機１と通信可能に構成される。
サーバ制御部３２は、上述したサーバ記憶部３０等を管理し制御するＣＰＵとして構成される。
【００３６】
以上のように構成される携帯電話機１は、行き先を判定した電車を特定することができると共に、行き先違いによる誤乗車を防止する機能を有する。
【００３７】
携帯電話機１は、図２に示すように、設定部１７と、通信部１３（識別情報取得、運行情報取得部）を備える。
設定部１７は、乗車駅（出発場所）と停車駅（到着場所）を設定する。
【００３８】
通信部１３は、乗車しようとする電車Ｔの固有情報（固有の識別情報）を所定の場所（本実施形態においては、ホームＨや電車Ｔ）に設置されているリーダライタ装置２から取得する。具体的には、電車Ｔの固有情報は、携帯電話機１を電車Ｔに対応付けられたリーダライタ装置２にかざすことにより取得される。電車Ｔの固有情報とは、電車Ｔを特定するための情報であり、例えば、各電車Ｔに割り当てられたＩＤの情報として構成することができる。このため、携帯電話機１は、運行情報の中から対応する電車Ｔを特定することができる。
【００３９】
また、通信部１３は、取得された固有情報に基づいて、電車Ｔの運行情報を取得する。具体的には、電車Ｔの運行情報は、インターネットサーバ３からリーダライタ装置２を経由して取得される。
インターネットサーバ３に記憶される電車Ｔの運行情報とは、電車Ｔを運行管理する交通機関により予め決められた電車Ｔの運行に関する情報である。電車Ｔの運行に関する情報は、例えば、図３に示すように、中央線、総武線、山手線、田園都市線等の各路線の時刻表に記載されるような内容（時間、停車駅等）の情報である。図３には、各路線の時刻表の一例として、田園都市線における所定の時間帯での時刻表が詳細に示される。この時刻表に示される時間帯には、渋谷駅から高津駅の間において快速列車と各駅停車が運行している。快速列車は、渋谷駅から高津駅の間の駅において、用賀駅、二子新地駅及び高津駅には停車しないで運行が行われる。一方の各駅停車は、渋谷駅から高津駅の間の各駅に停車する運行が行われる。
また、運行情報は、上述した時刻表の他に、電車Ｔの遅延に関する情報を含む。
【００４０】
ディスプレイ１５は、乗車駅、降車駅及び運行情報に基づいて、固有の識別情報に対応する乗降案内情報を表示（提示）する。乗降案内情報は、電車が降車駅には向かい、かつ、降車駅に停車する場合と、降車駅の方向には向かい、かつ、停車しない場合と、降車駅の方向には向かわない場合のいずれかの場合に当てはめて、ディスプレイ１５に表示される。
【００４１】
このように構成される携帯電話機１は、設定部１７により乗車駅と停車駅を設定する。携帯電話機１は、通信部１３により電車Ｔの固有情報を取得する。携帯電話機１は、通信部１３により取得された固有情報に基づいて、電車Ｔの運行情報を取得する。また、携帯電話機１は、誤乗車判定部１９により乗車駅及び降車駅と運行情報とに基づいて、固有情報に対応する電車Ｔの乗降案内情報（固有情報に対応する電車を、降車駅には向かい、かつ、降車駅に停車する場合、降車駅の方向には向かい、かつ、停車しない場合又は降車駅の方向には向かわない場合のいずれかの場合に当てはめた情報）をディスプレイ１５に表示する。
【００４２】
したがって、携帯電話機１においては、設定された乗車駅及び降車駅と運行情報とに基づいて、固有情報に対応する電車Ｔが降車駅には向かい、かつ、降車駅に停車する場合と、降車駅の方向には向かい、かつ、停車しない場合と、降車駅の方向には向かわない場合とのいずれかの場合に当てはめた乗降案内情報がディスプレイ１５に表示される。このため、携帯電話機１においては、例えば、リーダライタ装置２やインターネットサーバ３を介して、情報（固有情報及び運行情報）を取得すれば、誤乗車となる電車か否かの乗降案内情報を表示することができる。また、リーダライタ装置２に対応する電車の固有情報を取得するために、ユーザは、判定される電車を認識することができる。
このため、携帯電話機１においては、行き先を判定した電車を特定することができると共に、行き先違いによる誤乗車を防止することができる。
【００４３】
なお、本実施形態において、乗降案内情報提示部をディスプレイ１５により構成したがこれに限られない。乗降案内情報提示部は、ユーザに、提示された乗降案内情報に基づいて異なる提示を行えればよく、例えば、提示された乗降案内情報に基づいて、鳴り分けをするようにスピーカ（図示せず）で構成したり、提示された乗降案内情報に基づいて、バイブレーションの動作を変えるようにバイブレータ（図示せず）で構成したり、判定結果により発光のタイミングを変えたり、色を変えたりする報知用ランプ（図示せず）で構成したりすることにより実現できる。また、乗降案内情報提示部は、例えば、ディスプレイ１５とスピーカ等のように複数用いてもよく、例えば、表示をしながら、音を鳴らす等同時に動作させるように構成してもよい。
【００４４】
また、ディスプレイ１５は、降車駅の方向には向かい、かつ、停車しない場合には、降車駅の手前の場所で、異なる車両に乗り換えることにより、降車駅に停車する場合の乗降案内情報を加味して表示する。
【００４５】
したがって、携帯電話機１においては、例えば、降車駅の方向には向かうが降車駅の手前が終着駅となっている電車や、降車駅の手前で降車可能な電車等の乗換可能な電車や、降車駅の手前では降車する機会のない降車駅を通り過ぎる電車Ｔの乗降案内情報をディスプレイ１５に表示することができる。
このため、携帯電話機１においては、さらに詳細な判定を行えるために、行き先違いによる誤乗車を防止することができる。
【００４６】
なお、本実施形態においては、携帯電話機１は、リーダライタ装置２から固有情報を取得し、インターネットサーバ３からリーダライタ装置２を経由して運行情報を取得したが、これに限られない。携帯電話機１は、例えば、リーダライタ装置２に携帯電話機１をかざすことにより、リーダライタ装置２にかざした情報（かざされたリーダライタ装置２の情報）に基づいて、インターネットサーバ３からリーダライタ装置２に対応する固有情報及び運行情報を取得してもよい。
【００４７】
制御部１６は、設定部１７により設定された乗車駅と降車駅に基づいて、電車Ｔの経路を選択する経路選択部１８を備える。
【００４８】
誤乗車判定部１９は、乗降案内情報の表示にあたり、経路選択部１８により選択された経路と通信部１３により取得された運行情報とに基づいて、固有情報に対応する電車Ｔが誤乗車となる電車か否かを判定する。
【００４９】
このように構成される携帯電話機１は、設定部１７により乗車駅と降車駅を設定する。携帯電話機１は、設定部１７により設定された乗車駅と降車駅に基づいて、経路選択部１８により電車Ｔの経路を選択する。この際、携帯電話機１は、通信部１３により電車Ｔの固有情報を取得する。携帯電話機１は、通信部１３により取得された固有情報に基づいて、電車Ｔの運行情報を取得する。また、携帯電話機１は、誤乗車判定部１９により経路選択部１８により選択された経路と通信部１３により取得された運行情報とに基づいて、固有情報に対応する電車Ｔが誤乗車となる電車か否かを判定する。
【００５０】
したがって、携帯電話機１においては、乗降案内情報の提示にあたり、設定された乗車駅と停車駅と電車Ｔの固有情報に基づいて取得された運行情報とにより、固有情報に対応する電車Ｔが誤乗車となる電車か否かを判定する。このため、携帯電話機１においては、行き先を判定した電車を特定することができると共に、行き先違いによる誤乗車を防止することができる。また、携帯電話機１においては、予め経路情報を取得しておけば、経路情報からの経路と運行情報とに基づいて、判定処理を行えばよいために携帯電話機１等の処理負担を軽減することができる。
【００５１】
また、通信部１３は、電車Ｔに設置される第２のリーダライタ装置２Ｂ又は第３のリーダライタ装置２Ｃからの受信により、当該第２のリーダライタ装置２Ｂ又は第３のリーダライタ装置２Ｃが設置される電車Ｔの固有情報を取得する。
【００５２】
このように構成される携帯電話機１は、電車Ｔに設置される第２のリーダライタ装置２Ｂ又は第３のリーダライタ装置２Ｃから取得した当該電車Ｔの固有情報に基づいて、結果として、誤乗車となる電車か否かの判定を行うことができる。したがって、携帯電話機１においては、行き先を判定した電車を特定することができると共に、行き先違いによる誤乗車を防止することができる。
【００５３】
携帯電話機１においては、第２のリーダライタ装置２Ｂのように電車Ｔの外側から通信を行うような位置に設置されている場合には、ユーザは、誤乗車となる電車か否かを知りたい電車Ｔそのものを目前にして通信を行い、その電車Ｔが設定した降車駅に停車するか否かを知ることができるので、ユーザに安心感を与えることができる。また、本実施形態においては、第２のリーダライタ装置２Ｂは、電車Ｔの乗降口ＴＥの周囲に設置されているために、判定後に、すぐに乗車を行うことができる。
【００５４】
また、携帯電話機１においては、第３のリーダライタ装置２Ｃのように電車Ｔの内部に設置されている場合には、間違って乗車してしまったか不安な時等、電車Ｔから降りて確認する必要なく、電車Ｔに乗ったままで、誤乗車となる電車か否かを知ることができるので、ユーザに安心感を与えることができる。
【００５５】
また、通信部１３は、第１のリーダライタ装置２Ａからの受信により、当該リーダライタ通信部２１が設置される場所に停車する電車Ｔのうち当該第１のリーダライタ装置２Ａとの受信時以降に停車する電車Ｔの固有情報を取得する。
このように構成される携帯電話機１は、第１のリーダライタ装置２Ａが設置される場所に停車する電車Ｔのうち当該第１のリーダライタ装置２Ａとの受信時以降に停車する電車Ｔの固有情報に基づいて、結果として、誤乗車となる電車か否かの判定を行うことができる。
【００５６】
携帯電話機１においては、ホームＨの所定の電車Ｔが停車する場所の周辺に第１のリーダライタ装置２Ａが設置されている場合には、第１のリーダライタ装置２Ａと携帯電話機１との通信を行うことにより、第１のリーダライタ装置２Ａが設置されたホームＨに到着する電車Ｔが誤乗車となる電車か否かの判定を行うことができる。また、第１のリーダライタ装置２Ａからの受信時以降に停車する電車Ｔの固有情報に基づいて、電車Ｔが降車駅に停車するかの判定を行うために、現在停車している電車Ｔが判定の対象か否かを迷うことなく、確実に乗れる電車Ｔについての判定を行うことができる。その結果、携帯電話機１においては、行き先を判定した電車を特定することができると共に、行き先違いによる誤乗車を防止することができる。
【００５７】
また、記憶部１１（入退場情報格納部）には、所定の区間内の自動改札機１００での入退場を入退場処理により許可する入退場情報が格納（記憶）される。
設定部１７は、記憶部１１に格納される入退場情報に基づいて、乗車駅と降車駅を設定する。
【００５８】
このように構成される携帯電話機１は、設定部１７により記憶部１１に格納される入退場情報に基づいて、乗車駅と降車駅を設定する。このため、携帯電話機１においては、乗車駅と降車駅が自動的に設定される。例えば、入退場情報が定期券の乗車駅と降車駅である場合には、ユーザは、定期券の利用に際しては、乗車駅と降車駅の設定を行う操作が不要となる。したがって、携帯電話機１においては、ユーザの利便性を高めることができる。
【００５９】
次に、本実施形態における入場情報に基づく乗車駅と降車駅の設定の具体例を、図４を用いて説明する。
入場情報は、本実施形態においては、交通機関により、特定の区間を繰り返し乗車する乗客を対象として、一定期間を区切って発行される定期乗車券（以下、定期という。）の情報を用いる。
ＩＣチップ記憶部１２０では、上述した定期の情報（乗車駅と降車駅）が記憶される。
ＩＣチップ記憶部１２０には、図４に示すように、カードタイプの定期Ｃの表面に印字される駅名に対応する情報（例えば、高円寺駅及び東京駅）が［乗車駅１］と［降車駅１］に対応して記憶される。
本実施形態において、設定部１７は、［乗車駅１］に対応する情報を乗車駅とし、［降車駅１］に対応する情報を降車駅として、乗車駅と降車駅を設定する。
【００６０】
また、本実施形態においては、ユーザが任意に乗車駅と降車駅を決定することができる。この場合、図４に示すように、［乗車駅１］及び［降車駅１］に加えて、［乗車駅２］及び［降車駅２］が設置される。
【００６１】
［乗車駅１］及び［降車駅１］と、［乗車駅２］及び［降車駅２］の選択は、フラグにより決定される。つまり、設定部１７は、定期有効フラグ又はアプリ有効フラグに基づいて、［乗車駅１］及び［降車駅１］又は［乗車駅２］及び［降車駅２］を乗車駅と降車駅として設定する。具体的には、ユーザは、アプリケーションを起動して、図４に示すように、ディスプレイ１５上に表示される乗車駅と降車駅に対応する入力欄（例えば、乗車駅を渋谷駅とし、降車駅を高津駅とする。）に操作部１４により入力を行う。そして、設定部１７は、フラグがアプリ有効フラグにあることを条件にして、［乗車駅２］及び［降車駅２］を設定する。
【００６２】
また、本実施形態において、フラグは、アプリケーション起動時にユーザにより登録があった場合には、アプリ有効フラグに設定され、それ以外（初期設定時、アプリケーション未設定時、アプリケーション終了時）には、定期有効フラグに設定されるように定期有効フラグが優先されるように設定することができる。なお、フラグは、本実施形態においては、非接触ＩＣチップ１２内に設けられるがこれに限られない。
【００６３】
また、携帯電話機１は、アプリケーションを起動するアプリケーション起動部４０を備える。
通信部１３は、自動改札機１００での入場処理により、リーダライタ装置２からの受信が可能となる。
このように構成される携帯電話機１は、自動改札機１００での入場処理により、リーダライタ装置２からの受信が可能となる。つまり、携帯電話機１においては、自動改札機１００での入場処理が行われることにより、リーダライタ装置２からの受信待ち状態となる。例えば、アプリケーションを起動することで、リーダライタ装置２からの受信可能となるように構成される場合には、自動改札機１００への入場処理によりアプリケーションが起動するために、ユーザはアプリケーションを起動させる操作が不要となる。したがって、携帯電話機１においては、ユーザの利便性を高めることができる。
【００６４】
また、ディスプレイ１５は、固有情報を取得したリーダライタ装置２の設置場所がホームＨ（第１のリーダライタ装置２Ａ）である場合には詳細表示（第１の表示）にて行い、固有情報を取得したリーダライタ装置２の設置場所が電車Ｔ（第２（第３）のリーダライタ装置２Ｂ、２Ｃ）である場合には、詳細表示とは異なる簡易表示（第２の表示）にて行う。
【００６５】
したがって、携帯電話機１は、ホームＨに設置されるような第１のリーダライタ装置２Ａにかざした際の判定結果に対しては、例えば、ホームＨに到着する次の電車Ｔの判定結果を表示するために、時間的な余裕があるため、例えば、乗換案内や他の経路での行き方案内等の詳細な情報をディスプレイ１５に表示するように構成することができる（詳細表示）。
【００６６】
具体的には、例えば、判定結果として正しい電車の場合（誤乗車でない場合）には、図５（ａ）に示すように、「乗っても大丈夫です。遅延などはありません。」等の表示をする。また、間違った電車の場合（誤乗車の場合）には、図５（ｂ）に示すように、「この電車は、降車駅に停車しません。次の電車（△：△発の○○行き）をお待ち下さい。」や（間違った電車であってもユーザに不安を与えず肯定的な表現となる表示をして、さらに、他の行き方を提案して）「乗っても大丈夫です。○○駅で乗り換えとなります。遅延などはありません。」等の表示をする。
【００６７】
また、携帯電話機１は、電車Ｔの内外に設置される第２（第３）のリーダライタ装置２Ｂ、２Ｃにかざした際の判定結果に対しては、ユーザは電車ＴがホームＨに停車している短い時間に判定結果を確認して、電車への乗り降りしなければならないために、簡易的な表示を行うように構成することができる（簡易表示）。
【００６８】
簡易的な表示としては、具体的には、例えば、正しい電車の場合（誤乗車でない場合）には、図５（ｃ）に示すように、「降車駅へ行きます。」等を表示する。また、間違った電車の場合（誤乗車の場合）には、図５（ｄ）に示すように、「降車駅へ行きません。」等を表示する。
【００６９】
このように、携帯電話機１において、かざしたリーダライタ装置２の設置場所に応じた表示を行うことで、ユーザの状況に合わせた報知を行うために、利便性を向上させることができる。
【００７０】
また、ディスプレイ１５には、上述したようにかざすリーダライタ装置２に合わせた表示を文字で行うように構成したが、これに限られない。簡易的な表示を行う必要がある電車Ｔの内と外に設けられた第２又は第３のリーダライタ装置２Ｂ、２Ｃにかざした場合には、ディスプレイ１５には、ユーザが直感的に認識可能な簡易的な表示等を行えばよく、例えば、判定結果に応じて、記号（例えば、誤乗車の場合には「×」、到着駅に停車しないが到着駅の方向には向かう場合には「△」、誤乗車でない場合には「○」等）を使って表示したり、表示の色（例えば、誤乗車の場合には背景色を赤色、到着駅に停車しないが到着駅の方向には向かう場合には背景色を黄色、誤乗車でない場合には背景色を青色等）を変えたりすることができる。
【００７１】
一方、ホームＨに設置された第１のリーダライタ装置２Ａの場合には、詳細な情報を表示するように構成した。この場合、ディスプレイ１５には、判定結果の他に、例えば、遅延情報等の他の付加的な情報を表示してもよい。また、最も安い料金や降車駅までの最短の行き方等の条件を加味して再度経路を選択して、停車駅の判定を行うように促す表示を行ってもよい。
【００７２】
また、携帯電話機１は、第１のリーダライタ装置２Ａにかざされて、電車Ｔが停車駅に停車しないと判定した場合（乗車時に行き先違いの電車Ｔに乗っていた場合）には、本実施形態においては、降車駅に向かう経路を検索する。降車駅の検索は、電車Ｔの固有情報に基づいて、経路選択部１８により行われる。検索結果は、図５（ｂ）及び図５（ｃ）に示すように、経路情報（降車指示等の乗り換え案内を含む。）としてディスプレイ１５に表示される。
【００７３】
次に、誤乗車判定システムの動作について説明する。
以下の本動作の説明においては、携帯電話機１のユーザが図３に示す時刻表の時間帯（１２：００）に、渋谷駅から高津駅に向かう例について説明する。
図３に示す時刻表の例では、渋谷駅から高津駅に行くためには、渋谷駅１２：００発の快速列車に乗った後に途中二子玉川駅で下車して、各駅停車に乗り換えて降車駅である高津駅に向かう行き方と、渋谷駅から各駅停車（１２：１５発）に乗り、降車駅である高津駅に向かう行き方とがあることになる。
【００７４】
このような運行条件下では、以下の３つのケース（［ケース１］から［ケース３］）が判定されることになる。なお、以下のケースの説明において、（）内の説明は、第１又は第２のリーダライタ装置２Ａ、２Ｂ以外の第３のリーダライタ装置２Ｃにかざした場合の説明である。
［ケース１］は、渋谷駅から各駅停車に乗り（渋谷駅では各駅停車に乗っており）、降車駅である高津駅に向かうケースである。このケースは、正しい電車（誤乗車でない電車）として判定される。
［ケース２］は、渋谷駅から快速列車に乗り（渋谷駅では快速列車に乗っており）、途中二子玉川駅で下車して、各駅停車に乗り換えて、降車駅である高津駅に向かうケースである。このケースは、停車駅へ向かう電車であるが、降車駅に停車しないために、本実施形態においては、間違った電車（誤乗車の電車）として判定される。
［ケース３］は、高津駅へ向かう電車ではないケース、つまり、渋谷駅と逆方向に向かうケースである。このケースは、間違った電車（誤乗車の電車）として判定される。
なお、本実施形態においては、判定される［ケース］とかざされるリーダライタ装置２によって、図６に示すように、ディスプレイ１５に表示されるメッセージが異なるように構成される。
【００７５】
また、上述したような３つのケースが想定される本実施形態においては、以下のような異なる表示を行うように構成される。
降車駅に停まる電車である場合［ケース１］には、判定された電車に乗ることで、確実に降車駅に辿り着けるため、安心して乗車できる旨の表示を行う。この場合、ディスプレイ１５の背景色を例えば、警告色である青色で表示をすれば、ユーザは直感的に状況を把握することができる。
【００７６】
進行方向が同じではあるが、降車駅に辿り着くためには乗換が必要ではある場合［ケース２］には、ユーザに注意を喚起する表示を行う。この場合、ディスプレイ１５の背景色を例えば、警告色である赤色で表示すれば、ユーザは直感的に状況を把握することができる。
【００７７】
停車駅とは電車の進行方向が異なり、電車に乗っていても降車駅には辿り着けない場合［ケース３］には、ユーザに辿り着かないという危険を喚起する表示を行う。この場合、ディスプレイ１５の背景色を例えば、警告色である赤色で表示すれば、ユーザは直感的に状況を把握することができる。
【００７８】
次に、誤乗車判定システムの具体的な動作を図７を用いて説明する。なお、本動作は、携帯電話機１ではアプリケーション上で行われることを前提に説明する。
ステップＳＴ１において、携帯電話機１は、自動起動設定をＯＮにしているか否かを確認する。携帯電話機１は、自動起動設定がＯＮの場合（ＹＥＳ）には、ステップＳＴ２に進む。携帯電話機１は、自動起動設定がＯＦＦの場合（ＮＯ）には、ステップＳＴ３に進む。
【００７９】
ステップＳＴ２において、携帯電話機１においては、自動起動設定がＯＮになっているため、改札（自動改札機１００）を通過することにより、自動でアプリケーションが起動して、ステップＳＴ４に進む。具体的には、携帯電話機１は、例えば、ユーザにより自動改札機１００にかざされて入場処理が行われることで、アプリケーション起動部４０によりアプリケーションを起動する。
【００８０】
ステップＳＴ３において、携帯電話機１では、ユーザの手動によるアプリケーションの起動を行い、ステップＳＴ４へ進む。具体的には、携帯電話機１においては、自動起動設定がＯＦＦになっているため、ユーザの操作がされて、アプリケーション起動部４０によりアプリケーションを起動する。
【００８１】
ステップＳＴ４において、携帯電話機１は、乗車駅及び降車駅が定期区間内であるか否かの確認を行う。具体的には、携帯電話機１は、例えば、図４に示すように、ディスプレイ１５に駅の設定を行うか否かのメッセージと選択ボタン（登録ボタン）を表示する。そして、ユーザは、操作部１４を操作して、駅の設定を行うか否かの決定をする。
【００８２】
携帯電話機１は、乗車駅及び降車駅が定期区間内である場合（ＹＥＳ）には、ステップＳＴ６に進む。携帯電話機１は、乗車駅及び降車駅が定期区間内でない場合（ＮＯ）には、ステップＳＴ５に進む。つまり、携帯電話機１においては、ユーザにより、自分の行き先に応じた選択が行われる。
この際、経路選択部１８は、設定部１７により設定された乗車駅と降車駅に基づいて、経路の選択を行う。
【００８３】
ステップＳＴ５において、携帯電話機１は、ユーザにより乗車駅及び降車駅が入力されて、ステップＳＴ６に進む。具体的には、携帯電話機１においては、図４に示すように、ユーザにより、乗車駅と降車駅の入力が行われる。具体的には、携帯電話機１においては、ユーザにより、乗車駅と降車駅の入力が行われることにより、［乗車駅２］と［降車駅２］が設定され、アプリ有効フラグが定期有効フラグを切り替える。設定部１７は、アプリ有効フラグに基づいて、［乗車駅２］と［降車駅２］を乗車駅と降車駅として設定する。
この際、経路選択部１８は、設定部１７により設定された乗車駅と降車駅に基づいて、経路の選択を行う。
【００８４】
ステップＳＴ６において、携帯電話機１は、ユーザにより、リーダライタ装置２にかざされて、ステップＳＴ７に進む。
【００８５】
ステップＳＴ７において、携帯電話機１は、かざされたリーダライタ装置２の判別を行う。
携帯電話機１は、駅のホームＨに設置される第１のリーダライタ装置２Ａかざされた場合（第１のリーダライタ装置）には、ステップＳＴ８に進む。また、電車Ｔの車両の側面に設置される第２のリーダライタ装置２Ｂ又は電車Ｔ内の第３のリーダライタ装置２Ｃにかざされた場合（第２（第３）のリーダライタ装置）には、ステップＳＴ１１に進む。
なお、携帯電話機１とリーダライタ装置２とは、携帯電話機１をリーダライタ装置２にかざすことなく、リーダライタ装置２の交信範囲に入ることにより自動的に通信を行うように構成してもよい。
【００８６】
ステップＳＴ８において、携帯電話機１は、第１のリーダライタ装置２Ａに対応する電車Ｔが誤乗車となる電車であるか否かの確認を行う。携帯電話機１は、第１のリーダライタ装置２Ａに携帯電話機１がかざされたことにより、第１のリーダライタ装置２Ａから取得された電車Ｔの固有情報と、第１のリーダライタ装置２Ａを介してインターネットサーバ３から取得された運行情報に基づいて、誤乗車判定部１９により、電車Ｔが誤乗車となる電車であるか否かの判定を行う。
【００８７】
具体的には、携帯電話機１においては、第１のリーダライタ装置２Ａにかざされた場合には、次に駅のホームＨに入ってくる電車Ｔが携帯電話機１に設定された降車駅に停車するか否かの確認を行う。つまり、第１のリーダライタ装置２Ａのリーダライタ記憶部２０に記憶される電車Ｔの固有情報のうち、第１のリーダライタ装置２Ａにかざされた時以降にホームＨに停車する次に停車する電車Ｔの固有情報がリーダライタ通信部２１を介して、携帯電話機１に送信される。そして、携帯電話機１は、リーダライタ通信部２１から送信された電車Ｔの固有情報を通信部１３により、受信する。受信された電車Ｔの固有情報に基づいて、通信部１３は、運行情報を第１のリーダライタ装置２Ａを介してインターネットサーバ３から取得する。また、誤乗車判定部１９は、取得した運行情報に基づいて、固有情報に対応する電車Ｔが誤乗車となる電車であるか否かを判定する。
【００８８】
この際、携帯電話機１においては、判定結果が誤乗車でない場合、つまり、正しい電車である場合（ＹＥＳ）には、ステップＳＴ９に進む。本実施形態においては、誤乗車でない場合（正しい電車である場合）とは、降車駅に停車する電車、［ケース１］の場合とする。
【００８９】
また、携帯電話機１においては、判定結果が誤乗車である場合、つまり、間違った電車である場合（ＮＯ）には、ステップＳＴ１０に進む。本実施形態においては、誤乗車である場合（間違った電車である場合）とは、進行方向が同じではあるが、降車駅に辿り着くためには乗換が必要ではある場合［ケース２］及び停車駅とは電車の進行方向が異なり、電車に乗っていても降車駅には辿り着けない場合［ケース３］とする。なお、［ケース２］の場合には、さらに、降車駅の手前の場所で、異なる車両に乗り換えることにより、降車駅に停車するか否かをさらに判定する。
【００９０】
別の例としては、図３に示すように、例えば、二子玉川駅で１２：３０発の電車に乗った場合には、降車駅の手前で降車することができず、降車駅を通過してしまう。このために、この例では、降車駅の手前の場所で、異なる車両に乗り換えることにより、降車駅に停車しないとの判定がなされる。
【００９１】
ステップＳＴ９において、携帯電話機１は、誤乗車でないと判定されたため、誤乗車でない旨（遅延に関する情報も表示）＜詳細表示＞をディスプレイ１５に表示して、ステップＳＴ１４に進む。
具体的には、携帯電話機１においては、［ケース１］の場合であるため、例えば、図６（ａ）に示すように、「乗っても大丈夫です。遅延などはありません。」等のメッセージを表示する。携帯電話機１においては、上述したように判定結果と共に、遅延に関する情報も表示する。なお、遅延が生じていた場合には、例えば、遅延が生じている旨と共に、遅延時間や他の行き方等の遅延に関する詳細な情報を表示する。
【００９２】
ステップＳＴ１０において、携帯電話機１は、確認した電車Ｔが誤乗車となる電車であると判定されたため、誤乗車である旨（遅延に関する情報も表示）＜詳細表示＞をディスプレイ１５に表示して、ステップＳＴ１４に進む。
【００９３】
具体的には、携帯電話機１においては、また、［ケース２］の場合には、図６（ｂ）に示すように、「この電車は降車駅に停まりません。〇〇駅で乗り換えとなります。遅延などはありません。」等のメッセージを表示する。また、［ケース３］の場合には、例えば、図６（ｃ）に示すように、「この電車は降車駅に向かいません。〇〇の電車に乗ってください。遅延などはありません。」等のメッセージを表示する。携帯電話機１においては、上述したように、判定結果と共に、降車駅への行き方を表示し、遅延に関する情報も表示する。降車駅への行き方を表示する場合には、具体的には、経路選択部１８は、誤乗車判定部１９からの判定結果により、停車駅に停車しないと判定されたことに基づいて、電車Ｔの固有情報から降車駅等の経路を選択する。そして、ディスプレイ１５は、経路の選択結果を表示する。
【００９４】
ステップＳＴ１１において、携帯電話機１は、第２のリーダライタ装置２Ｂ又は第３のリーダライタ装置２Ｃに対応する電車Ｔ（現在、乗っている電車Ｔ）が誤乗車となる電車であるか否かの確認を行う。
【００９５】
具体的には、携帯電話機１においては、第２のリーダライタ装置２Ｂにかざされた場合には、第２のリーダライタ装置２Ｂのリーダライタ記憶部２０に記憶される電車Ｔの固有情報がリーダライタ通信部２１を介して、携帯電話機１に送信される。そして、リーダライタ通信部２１から送信された電車Ｔの固有情報は、通信部１３により、受信される。受信された電車Ｔの固有情報に基づいて、通信部１３は、インターネットサーバ３に記憶される運行情報を第２のリーダライタ装置２Ｂを介して取得する。また、誤乗車判定部１９は、取得した運行情報に基づいて、固有情報に対応する電車Ｔが誤乗車となる電車であるか否かを判定する。
【００９６】
また、携帯電話機１は、第３のリーダライタ装置２Ｃのリーダライタ記憶部２０に記憶される電車Ｔの固有情報がリーダライタ通信部２１を介して、携帯電話機１に送信される。そして、リーダライタ通信部２１から送信された電車Ｔの固有情報は、通信部１３により、受信される。受信された電車Ｔの固有情報に基づいて、通信部１３は、インターネットサーバ３に記憶される運行情報を第３のリーダライタ装置２Ｃを介して取得する。また、誤乗車判定部１９は、取得した運行情報に基づいて、固有情報に対応する電車Ｔが誤乗車となる電車か否かを判定する。
【００９７】
この際、携帯電話機１においては、判定結果が誤乗車でない場合、つまり、正しい電車である場合（ＹＥＳ）には、ステップＳＴ１２に進む。本実施形態においては、誤乗車でない場合（正しい電車である場合）とは、降車駅に停車する電車、［ケース１］の場合とする。
【００９８】
また、携帯電話機１においては、判定結果が誤乗車である場合、つまり、間違った電車である場合（ＮＯ）には、ステップＳＴ１３に進む。本実施形態においては、誤乗車である場合（間違った電車である場合）とは、進行方向が同じではあるが、降車駅に辿り着くためには乗換が必要ではある場合［ケース２］又は停車駅とは電車の進行方向が異なり、電車に乗っていても降車駅には辿り着けない場合［ケース３］とする。なお、［ケース２］の場合には、さらに、降車駅の手前の場所で、異なる車両に乗り換えることにより、降車駅に停車するか否かをさらに判定する。図３の場合を例においては、例えば、二子玉川駅で１２：３０発の電車に乗った場合には、降車駅の手前で降車することができず、降車駅を通過してしまうために、降車駅の手前の場所で、異なる車両に乗り換えることにより、降車駅に停車しないとの判定がなされる。
【００９９】
ステップＳＴ１２において、携帯電話機１は、誤乗車でないと判定されたため、誤乗車でない旨＜簡易表示＞をディスプレイ１５に表示して、ステップＳＴ１４に進む。
【０１００】
具体的には、携帯電話機１においては、［ケース１］であるため、例えば、図６（ｄ）に示すように、「この電車で大丈夫です。」等メッセージを表示する。
【０１０１】
ステップＳＴ１３において、携帯電話機１は、確認した電車Ｔが誤乗車となる電車であると判定されたため、誤乗車である旨＜簡易表示＞をディスプレイ１５に表示して、ステップＳＴ１４に進む。
【０１０２】
具体的には、携帯電話機１においては、［ケース２］又は［ケース３］であるため、例えば、図６（ｅ）及び図６（ｆ）に示すように、「降車駅に停まりません。」という簡易的なメッセージを表示する。
【０１０３】
本実施形態においては、ステップＳＴ１２及びステップＳＴ１３で説明したように、携帯電話機１では、第２（第３）のリーダライタ装置２Ｂ、２Ｃにかざした場合には、第１のリーダライタ装置２Ａにかざした場合とは異なる直感的に理解できるような簡易的な表示を行う。このように構成することで、ユーザはすぐに判断をすることができ、例えば、乗り降りに時間がない場合には、手間取ることなくスムーズに乗り降りを行うことができる。
【０１０４】
ステップＳＴ１４において、携帯電話機１は、アプリケーションを終了する。アプリケーションの終了は、ユーザにより手動で終了することもできるが、本アプリケーションを使用していない可能性が高い状況下（例えば、自動改札機１００を通過して、アプリケーションが自動起動した場合において、３０分使用しない場合等）では、自動的にアプリケーションを終了する。
【０１０５】
したがって、携帯電話機１においては、行き先を判定した電車Ｔを特定することができると共に、行き先違いによる誤乗車を防止するができる。
【０１０６】
以上、本発明に係る誤乗車判定システムの好適な実施形態について説明したが、本発明に係る誤乗車判定システムは、上述した実施形態に限定されることなく種々の形態で実施することができる。
【０１０７】
なお、運行情報は、時刻表情報のようなものでもよく、また、電車の運行状況が変わる度に即時更新されるような交通機関が管理するような即時性の高い情報でもよい。即時性の高い情報を運行情報として取得した場合には、事故等により電車の行き先が変更しても、行き先違いによる誤乗車の判定を行うことができる。また、運行情報の取得は、例えば、外部に固有情報を送信して、運行情報を取得したり、固有情報取得時に同時に運行情報を取得したりするように構成してもよい。また、固有情報と運行情報とは、別々の場所から取得しても、同一の場所から取得するように構成してもよい。つまり、固有情報と運行情報が同一の場所に記憶されていても、別々の場所に記憶されていてもよい。
【０１０８】
また、本実施形態においては、リーダライタ装置２からの運行情報を用いて、電車Ｔの乗車駅と降車駅を取得したが、これに限られない。運行情報を記憶しておくことができ、携帯電話機１からの呼び掛けに対して応答することができればよく、例えば、ＩＣタグ等により構成することができる。このように構成することにより、電源等を有さず大型な処理部を有する必要もないために製造コストを低く抑えられると共に、設置形態にとらわれることなく、電車Ｔの行き先違いによる誤乗車を防止することができる。
【０１０９】
また、本実施形態においては、固有情報をリーダライタ装置２が記憶し、運行情報をインターネットサーバ３が記憶し、固有情報及び運行情報を携帯電話機１が取得するように構成したがこれに限られない。携帯電話機１が取得する固有情報及び運行情報は、例えば、携帯電話機１が予め記憶しておいてもよい。この場合には、例えば、リーダライタ装置へ携帯電話機１をかざしたことをきっかけにして、かざされたリーダライタ装置の情報や、携帯電話機１のＧＰＳ等により取得された位置及び時間等に基づいて、記憶される固有情報及び運行情報から所望の固有情報及び運行情報を抽出するように構成される。
【０１１０】
また、本実施形態においては、［ケース２］の場合（降車駅の方向には向かうが降車駅には停車しない）には、降車駅へ停車するか否かで判定して、判定結果を間違った電車（誤乗車）として判定したが、これに限られず、降車駅に向かうか否かで判定して、正しい電車（誤乗車でない）として判定してもよい。この場合には、乗換案内等の降車駅への行き方をユーザに提示することが好ましい。誤乗車であるとする判定結果を出力するか、誤乗車でないとする判定結果とするかは、電車の運行頻度や乗換の多さ等を加味して、適宜設定可能である。
【０１１１】
また、本実施形態においては、乗降案内情報の提示にあたり、乗降案内情報の提示の度に、誤乗車判定部１９により誤乗車の判定を行うように構成したがこれに限られない。誤乗車であるか否か等の乗降案内情報を提示できればよく、例えば、予め、降車駅に対応する誤乗車の判定結果をテーブルとして記憶しておき、誤乗車の判定を行う電車の情報と降車駅の情報とに基づいて当該テーブルを検索し、この検索結果を乗降案内情報として提示するように構成してもよい。
【０１１２】
また、本実施形態においては、電車の行き先違いによる誤乗車を判定したが、これに限られない。誤乗車の判定は、運行情報により運行が管理され、日にちや時間により行き先が変わるように運行するような、例えば、バス等でも構成することができる。
【符号の説明】
【０１１３】
１      携帯電話機（携帯端末）
２Ａ    第１のリーダライタ装置（外部機器）
２Ｂ    第２のリーダライタ装置（外部機器）
２Ｃ    第３のリーダライタ装置（外部機器）
３      インターネットサーバ（外部機器）
１１    記憶部（入退場情報格納部）
１３    通信部（識別情報取得部、運行情報取得部）
１５    ディスプレイ（乗降案内情報提示部）
１７    設定部
１８    経路選択部
１９    誤乗車判定部
１００  自動改札機（入退場ゲート）
Ｔ      電車（車両）
【図１】
2012142776.tif 000003
【図２】
2012142776.tif 000004
【図３】
2012142776.tif 000005
【図４】
2012142776.tif 000006
【図５】
2012142776.tif 000007
【図６】
2012142776.tif 000008
【図７】
2012142776.tif 000009